(57)【要約】【課題】簡単な構成で、自転車から外れにくいスタンドを提供することを目的とする。【解決手段】スタンドは、自転車に着脱可能に取り付けられるスタンドであって、第１の支柱１と、第１の支柱１に対して回動可能に連結された第２の支柱２と、を備えている。第１の支柱１と第２の支柱２は、第２の支柱２の第１の支柱１に対する回動軸よりも下側に配置される脚部１１，２１と、回動軸よりも上側に配置され、脚部１１，２１が広がるにつれて互いに狭まる挟持部１２，２２とをそれぞれ有し、使用時において、２つの挟持部１２，２２で自転車のペダルの軸ＳＨを挟むように構成されている。【選択図】図４
2016078613.tif 000002
【特許請求の範囲】
【請求項１】
自転車に着脱可能に取り付けられるスタンドであって、
第１の支柱と、
前記第１の支柱に対して回動可能に連結された第２の支柱と、を備え、
前記第１の支柱と前記第２の支柱は、前記第２の支柱の前記第１の支柱に対する回動軸の下側に配置される脚部と、前記回動軸の上側に配置され、前記脚部が広がるにつれて互いに狭まる挟持部とをそれぞれ有し、
使用時において、２つの前記挟持部で自転車のペダルの軸を挟むように構成されたことを特徴とするスタンド。
【請求項２】
前記第１の支柱は、前記挟持部および前記脚部を構成する第１本体部と、前記第１本体部から突出し、前記第１本体部の長手方向から見て略Ｕ字状に形成された第１係合部とを有し、
前記第２の支柱は、前記挟持部および前記脚部を構成する第２本体部と、前記第１係合部が前記第２本体部の長手方向に対し直交する方向に通って係合する第２係合部とを有し、
前記第１の支柱と前記第２の支柱は、前記第２係合部が前記第１係合部のＵ字形状に沿って移動することで、互いに離れた使用状態と、互いに最も近づいた収納状態とに切り替え可能であることを特徴とする請求項１に記載のスタンド。
【請求項３】
前記第１の支柱と前記第２の支柱は、それぞれ、一本の金属棒からなり、
前記第１係合部は、前記第１の支柱の前記挟持部と前記脚部の間の部分を略Ｕ字状に屈曲させてなり、
前記第２係合部は、前記第２の支柱の前記挟持部と前記脚部の間の部分を略Ｕ字状に屈曲させてなることを特徴とする請求項２に記載のスタンド。
【請求項４】
前記第１の支柱の前記挟持部と前記脚部の間隔は、前記第２の支柱を構成する金属棒の太さよりも狭く、
前記第２の支柱の前記挟持部と前記脚部の間隔は、前記第１の支柱を構成する金属棒の太さよりも狭いことを特徴とする請求項３に記載のスタンド。
【請求項５】
前記挟持部のペダルの軸に接触する部分には、ゴムが設けられていることを特徴とする請求項１から請求項４のいずれか１項に記載のスタンド。
【請求項６】
前記脚部の下端には、ゴムが設けられていることを特徴とする請求項１から請求項５のいずれか１項に記載のスタンド。
【発明の詳細な説明】
【技術分野】
【０００１】
本発明は、自転車に着脱可能に取り付けられるスタンドに関する。
【背景技術】
【０００２】
従来、自転車に着脱可能に取り付けられるスタンドに、ペダルの軸に取り付けて使用するものがある。例えば、特許文献１に記載されているスタンドは、上下に延びる一本の支柱と、支柱の下部から下方に延びる一対の脚部と、支柱の上部に設けられたペダルの軸を挟む挟持部とを有し、一対の脚部をＶ字状に開いて床面上に立たせるように構成されている。そして、挟持部は、ばねクランプ等のクランプであり、ペダルの軸を挟むようになっている。このスタンドは、挟持部がペダルの軸を挟むことで、自転車にしっかりと固定されるので、スタンドが自転車からはずれにくく、自転車を安定して立たせておくことができる。
【先行技術文献】
【特許文献】
【０００３】
【特許文献１】特開２０１３−９５２２０号公報
【発明の概要】
【発明が解決しようとする課題】
【０００４】
しかしながら、上述した技術では、支柱や脚部に加えて、クランプからなる挟持部を設けているため、スタンドを構成する部品が多くなってしまっていた。
【０００５】
そこで、本発明は、自転車に着脱可能に取り付けられるスタンドにおいて、簡単な構成で、自転車にしっかりと固定することができるスタンドを提供することを目的とする。
【課題を解決するための手段】
【０００６】
前記した目的を達成するため、本発明のスタンドは、自転車に着脱可能に取り付けられるスタンドであって、第１の支柱と、前記第１の支柱に対して回動可能に連結された第２の支柱と、を備え、前記第１の支柱と前記第２の支柱は、前記第２の支柱の前記第１の支柱に対する回動軸の下側に配置される脚部と、前記回動軸の上側に配置され、前記脚部が広がるにつれて互いに狭まる挟持部とをそれぞれ有し、使用時において、２つの前記挟持部で自転車のペダルの軸を挟むように構成されたことを特徴とする。
【０００７】
このように構成されたスタンドによれば、自転車の重さで２つの脚部が開こうとすると、２つの挟持部が狭まるので、この２つの挟持部でペダルの軸をしっかりと挟むことができる。これにより、簡単な構成で、スタンドを自転車にしっかりと固定することができる。
【０００８】
前記したスタンドにおいて、前記第１の支柱は、前記挟持部および前記脚部を構成する第１本体部と、前記第１本体部から突出し、前記第１本体部の長手方向から見て略Ｕ字状に形成された第１係合部とを有し、前記第２の支柱は、前記挟持部および前記脚部を構成する第２本体部と、前記第１係合部が前記第２本体部の長手方向に対し直交する方向に通って係合する第２係合部とを有し、前記第１の支柱と前記第２の支柱は、前記第２係合部が前記第１係合部のＵ字形状に沿って移動することで、互いに離れた使用状態と、互いに最も近づいた収納状態とに切り替え可能であることが望ましい。
【０００９】
このように構成されたスタンドによれば、使用しないときには、収納状態にしてコンパクトにできるので、携帯性が向上する。
【００１０】
前記したスタンドにおいて、前記第１の支柱と前記第２の支柱は、それぞれ、一本の金属棒からなり、前記第１係合部は、前記第１の支柱の前記挟持部と前記脚部の間の部分を略Ｕ字状に屈曲させてなり、前記第２係合部は、前記第２の支柱の前記挟持部と前記脚部の間の部分を略Ｕ字状に屈曲させてなることが望ましい。
【００１１】
このように構成されたスタンドによれば、一本の金属棒で支柱と係合部を構成することができるので、より簡単な構成とすることができる。
【００１２】
前記した第１の支柱と第２の支柱が一本の金属棒からなるスタンドにおいて、前記第１の支柱の前記挟持部と前記脚部の間隔は、前記第２の支柱を構成する金属棒の太さよりも狭く、前記第２の支柱の前記挟持部と前記脚部の間隔は、前記第１の支柱を構成する金属棒の太さよりも狭いことが望ましい。
【００１３】
このように構成されたスタンドによれば、使用中に、第１係合部と第２係合部の係合が外れてしまうのを抑えることができる。
【００１４】
前記したスタンドにおいて、前記挟持部のペダルの軸に接触する部分には、ゴムが設けられていることが望ましい。
【００１５】
このように構成されたスタンドによれば、挟持部がペダルの軸に対して滑りにくいので、スタンドがペダルの軸から外れるのを抑えることができる。
【００１６】
前記したスタンドにおいて、前記脚部の下端には、ゴムが設けられていることが望ましい。
【００１７】
これによれば、脚部が床面に対して滑るのを抑えることができので、スタンドによって自転車を安定して立てておくことができる。
【発明の効果】
【００１８】
本発明によれば、簡単な構成で、スタンドを自転車にしっかりと固定することができる。
【図面の簡単な説明】
【００１９】
【図１】本発明の一実施形態に係るスタンドを示す斜視図である。
【図２】スタンドの第１係合部および第２係合部を正面から見た拡大図（ａ）と、（ａ）のＩＩ−ＩＩ断面図（ｂ）と、（ａ）のＡ矢視図（ｃ）である。
【図３】収納状態のスタンドを示す斜視図である。
【図４】スタンドを自転車に取り付けた状態を示す斜視図である。
【図５】ペダルの軸を挟むスタンドを示す正面図である。
【図６】スタンドが取り付けられた自転車を示す側面図である。
【図７】スタンドの第１の変形例を示す斜視図である。
【図８】スタンドの第２の変形例を示す斜視図である。
【図９】スタンドの第３の変形例を示す正面図である。
【発明を実施するための形態】
【００２０】
次に、本発明の一実施形態について適宜図面を参照しながら説明する。
図１に示すように、スタンドＳは、自転車に着脱可能に取り付けられるように構成されており、第１の支柱１と、第１の支柱１に対して回動可能に連結された第２の支柱２とを備えている。
【００２１】
第１の支柱１と第２の支柱２は、第２の支柱２の第１の支柱１に対する回動軸Ｘ（図２（ａ）参照）よりも下側に配置される脚部１１，２１と、回動軸Ｘよりも上側に配置される挟持部１２，２２とをそれぞれ有している。
【００２２】
具体的に、第１の支柱１と第２の支柱２は、それぞれ、一本の金属棒、例えば、アルミニウム合金製の棒からなる。
【００２３】
第１の支柱１は、上下方向に延びる棒状の第１本体部１３と、第１本体部１３から横に突出する第１係合部１４とを有している。
【００２４】
第１本体部１３は、第１係合部１４の下側の部分が、脚部１１を構成し、第１係合部１４の上側の部分が、挟持部１２を構成している。この脚部１１と挟持部１２は、第１本体部１３の長手方向から見て、互いに重なるように上下方向に並んで設けられている（図２（ｂ）参照）。
【００２５】
図２（ａ），（ｂ）に示すように、第１係合部１４は、第１の支柱１の挟持部１２と脚部１１の間の部分を略Ｕ字状に屈曲させてなり、第１本体部１３の長手方向から見て、略Ｕ字状に形成されている。
【００２６】
この第１係合部１４のＵ字形状の一端は、脚部１１の上端に繋がり、他端は、挟持部１２の下端に繋がっている。そして、図２（ｃ）に示すように、脚部１１と挟持部１２の間隔Ｄ１（最短距離）は、第２の支柱２を構成する金属棒の太さよりも狭くなっている。
【００２７】
図１に示すように、第２の支柱２は、上下方向に延びる棒状の第２本体部２３と、第２本体部２３から横に突出する第２係合部２４とを有している。
【００２８】
第２本体部２３は、第２係合部２４の下側の部分が、脚部２１を構成し、第２係合部２４の上側の部分が、挟持部２２を構成している。この脚部２１と挟持部２２は、第２本体部２３の長手方向から見て、互いに重なるように上下方向に並んで設けられている。
【００２９】
図２（ａ）に示すように、第２係合部２４は、第２の支柱２の挟持部２２と脚部２１の間の部分を略Ｕ字状に屈曲させてなる。この第２係合部２４は、第２の支柱２の長手方向に対し直交する方向から見て、略Ｕ字状に形成され、第２の支柱２の長手方向に対し直交する方向に貫通する開口部２４１を形成している。
【００３０】
第２係合部２４のＵ字形状の一端は、脚部２１の上端に繋がり、他端は、挟持部２２の下端に繋がっている。そして、脚部２１と挟持部２２の間隔Ｄ２（最短距離）は、第１の支柱１を構成する金属棒の太さよりも狭くなっている。
【００３１】
第１の支柱１と第２の支柱２は、第１係合部１４と第２係合部２４が係合することで連結されている。具体的に、図２（ｂ）に示すように、第１係合部１４は、第２係合部２４の内側の開口部２４１を第２本体部２３の長手方向に対し直交する方向に通ることで、第２係合部２４に係合している。
【００３２】
なお、第１の支柱１を第２の支柱２に組み付ける際には、例えば、第２の支柱２の第２係合部２４を弾性変形させて挟持部２２と脚部２１の間隔を広げた後、その間から第１係合部１４を挿し込むことで、第１係合部１４と第２係合部２４を係合させることができる。
【００３３】
このように構成されたスタンドＳでは、図１に示すように、第２の支柱２は、第１の支柱１に対し、第１係合部１４の第２係合部２４と係合する部分（開口部２４１の内側に配置される部分）の中心を通る回動軸Ｘ周りに回動可能になっている（図２（ａ）参照）。また、回動軸Ｘが第１本体部１３と第２本体部２３の間に配置されているので、スタンドＳは、第２の支柱２が回動したときに、一対の脚部１１，２１が広がるにつれて、一対の挟持部１２，２２が狭まるようになっている。
【００３４】
そして、第１の支柱１と第２の支柱２は、第２係合部２４が第１係合部１４のＵ字形状に沿って移動することで、図１に示すような互いに離れた使用状態と、図３に示すような互いに最も近づいた収納状態とに切り替え可能となっている。
【００３５】
各脚部１１，２１には、それぞれの下端を覆う、ゴムからなるキャップＲ１が取り付けられている。
【００３６】
そして、各挟持部１２，２２は、ペダルＰＥの軸ＳＨに接触する部分に、挟持部１２，２２の周面を覆う円筒状に形成された、ゴムからなる被覆部材Ｒ２が取り付けられている。
【００３７】
次に、スタンドＳの使用方法について説明する。
自転車Ｂを駐輪するとき、まず、図１に示すように、第１の支柱１と第２の支柱２を広げてスタンドＳを使用状態にする。そして、図４および図５に示すように、スタンドＳの第１係合部１４と第２係合部２４が一方のペダルＰＥの軸ＳＨの下側に配置されるようにして、一対の挟持部１２，２２でペダルＰＥの軸ＳＨを挟む。このとき、下から第２係合部２４が軸ＳＨに当たるので、軸ＳＨは、一対の挟持部１２，２２と第２係合部２４の３つにより三方から挟まれる。これにより、軸ＳＨがスタンドＳから外れにくくなるので、自転車Ｂを安定して保持することができる。なお、軸ＳＨをしっかりと挟み込むために、一対の挟持部１２，２２の軸ＳＨとの接触部と、第２係合部２４の軸ＳＨとの接触部とで、軸ＳＨの中心を囲んでいるのが望ましい。
【００３８】
次に、図６に示すように、一対の脚部１１，２１を床面Ｆ上に立てる。これにより、自転車ＢがスタンドＳによって支持されるので、自転車Ｂが立った状態で保持される。
【００３９】
なおこのとき、自転車ＢのクランクＣＲを、クランクＣＲの回動軸ＣＲ１の垂直下方よりも後輪ＲＷ側にずらすとよい。このようにすることで、ペダルＰＥの軸ＳＨに第１係合部１４および第２係合部２４から上向きの力がかかっていても、車輪が前向きに回らなければ、ペダルＰＥは上がらないので、自転車Ｂが安定しやすい。さらに、ハンドルをスタンドＳを設けた側に向けておくことで、車輪が前向きに回るのを抑えることができるので、より自転車Ｂが安定しやすい。
【００４０】
また、スタンドＳを立てるときには、まず前輪ＦＷに近い側の支柱の脚部（図５では第１の支柱１の脚部１１）を床面Ｆ上に立てたあと、後輪ＲＷに近い側の支柱の脚部（図５では第２の支柱２の脚部２１）を後輪ＲＷ側（後側）に引っ張りながら床面Ｆ上に立てるとよい。このようにすると、脚部１１，２１の間隔や、第１係合部１４と第２係合部２４の高さ（ペダルＰＥの軸ＳＨのクランクＣＲの回動軸ＣＲ１に対する位置関係）を調整しやすいので、スタンドＳを安定して立たせることができる。
【００４１】
スタンドＳを使用しないときは、スタンドＳをペダルＰＥの軸ＳＨから外し、図３に示すように、第１の支柱１と第２の支柱２を近づけて収納状態にする。
【００４２】
なお、スタンドＳを簡単に持ち運ぶことができるように、自転車Ｂのフレームにクリップを取り付けておき、このクリップに収納状態にしたスタンドＳを保持させてもよい。クリップは、例えば、フレームに設けられているドリンクホルダを固定するためのボルトを利用してフレームに固定してもよい。
【００４３】
以上のように構成されたスタンドＳの作用および効果について説明する。
スタンドＳが自転車Ｂを立った状態で支持しているとき、自転車Ｂの重みで一対の脚部１１，２１が開こうとする。そうすると、一対の挟持部１２，２２の間隔が狭まる。これにより、挟持部１２，２２によってペダルＰＥの軸ＳＨをしっかりと挟むことができるので、スタンドＳが自転車Ｂにしっかりと固定される。
【００４４】
また、挟持部１２，２２には、それぞれ、ペダルＰＥの軸ＳＨに接触する部分にゴムが設けられているので、挟持部１２，２２がペダルＰＥの軸ＳＨに対して滑りにくく、挟持部１２，２２でペダルＰＥの軸ＳＨをしっかりと挟むことができる。
【００４５】
そして、脚部１１，２１の下端には、それぞれ、ゴムが設けられているので、脚部１１，２１が床面Ｆに対して滑りにくく、スタンドＳによって自転車Ｂを安定して支持することができる。
【００４６】
また、第１の支柱１の挟持部１２と脚部１１の間隔が、第２の支柱２の太さよりも狭く、第２の支柱２の挟持部２２と脚部２１の間隔が、第１の支柱１の太さよりも狭くなっているので、第１係合部１４と第２係合部２４の係合がはずれにくい。これにより、スタンドＳによって自転車Ｂを安定して支持することができる。
【００４７】
そして、スタンドＳは、使用しないときには、収納状態にすることで、使用状態よりもコンパクトにすることができ、携帯性が向上する。
【００４８】
また、スタンドＳは、一本の金属棒からなる第１の支柱１と第２の支柱２のみからなるので、構成が簡単であるとともに、軽量化を図ることができる。
【００４９】
以上、本発明の実施形態について説明したが、本発明は前記実施形態に限定されるものではない。具体的な構成については、本発明の趣旨を逸脱しない範囲で適宜変更が可能である。なお、以下の説明において、前記実施形態と略同様の構成要素については、同一符号を付し、その説明は省略する。
【００５０】
前記実施形態では、第１の支柱１と第２の支柱２がそれぞれ一本の金属棒を屈曲させることで形成されていたが、第１の支柱と第２の支柱の構成はこれに限定されるものではない。例えば、図７に示すように、第１の支柱１Ａは、一本の金属棒からなる第１本体部１３Ａと、Ｕ字状に形成され、第１本体部１３Ａに溶接等で固定された第１係合部１４Ａとを有して構成されていてもよい。また、第２の支柱２Ａは、一本の金属棒からなる第２本体部２３Ａと、Ｕ字状に形成され、第２本体部２３Ａに溶接等で固定された第２係合部２４Ａとを有して構成されていてもよい。
【００５１】
この第２の支柱２Ａは、第２係合部２４Ａにより形成された、第２本体部２３Ａの長手方向に対し直交する方向で貫通する開口部２４１Ａを有している。
【００５２】
第１の支柱１Ａと第２の支柱２Ａから構成されるスタンドＳ１においては、第１係合部１４Ａが、第２係合部２４Ａの内側の開口部２４１Ａを、第２本体部２３Ａの長手方向に対し直交する方向に通ることで、第２係合部２４Ａに係合している。
【００５３】
また、第１本体部１３Ａは、第１係合部１４Ａの下側の部分が、第１の支柱１Ａの脚部１１Ａとして機能し、第１本体部１３Ａの第１係合部１４Ａの上側の部分が、第１の支柱１Ａの挟持部１２Ａとして機能する。そして、第２本体部２３Ａは、第２係合部２４Ａの下側の部分が、第２の支柱２Ａの脚部２１Ａとして機能し、第２本体部２３Ａの第２係合部２４Ａの上側の部分が、第２の支柱２Ａの挟持部２２Ａとして機能する。
【００５４】
また、図８に示すように、第２係合部２４Ｂは、前記実施形態のように第２本体部２３Ｂから突出せず、第２本体部２３Ｂ上に設けられていてもよい。
【００５５】
具体的に、第２の支柱２Ｂは、第２本体部２３Ｂに、第２本体部２３Ｂの長手方向に対し直交する方向で貫通する開口部２４１Ｂを有している。そして、第２本体部２３Ｂの開口部２４１Ｂの縁が、第２係合部２４Ｂとなっている。
【００５６】
第２の支柱２Ｂと前記した第１の支柱１Ａとで構成されるスタンドＳ２においては、第１係合部１４Ａが、第２係合部２４Ｂの内側の開口部２４１Ｂを、第２本体部２３Ｂの長手方向に対し直交する方向に通ることで、第２係合部２４Ｂに係合している。
【００５７】
また、第２本体部２３Ｂは、開口部２４１Ｂの下側の部分が、第２の支柱２Ｂの脚部２１Ｂとして機能し、第２本体部２３Ｂの開口部２４１Ｂの上側の部分が、第２の支柱２Ｂの挟持部２２Ｂとして機能する。
【００５８】
前記実施形態では、スタンドＳが、第１の支柱１と第２の支柱２とが互いに離れた使用状態と、互いに最も近づいた収納状態とに切り替え可能に構成されていたが、スタンドの構成はこれに限定されるものではない。例えば、図９に示すように、スタンドＳ３は、第１係合部や第２係合部を有さず、第１の支柱１Ｃと第２の支柱２Ｃとが直接ピンＰで連結されていてもよい。
【００５９】
具体的に、第１の支柱１Ｃと第２の支柱２Ｃは、それぞれ、一本の金属棒をＶ字状に屈曲させてなる。そして、第１の支柱１Ｃと第２の支柱２Ｃは、屈曲部に、それぞれ図示しない貫通穴が設けられており、その貫通穴に挿通されたピンＰによって互いに回動可能なように連結されている。
【００６０】
このスタンドＳ３においては、第１の支柱１Ｃと第２の支柱２ＣのピンＰよりも下の部分が脚部１１Ｃ，２１Ｃとして機能し、ピンＰよりも上の部分が挟持部１２Ｃ，２２Ｃとして機能する。そして、スタンドＳ３は、第１の支柱１Ｃの脚部１１Ｃと挟持部１２ＣがピンＰに対し一方側（図の左側）に配置され、第２の支柱２Ｃの脚部２１Ｃと挟持部２２ＣがピンＰに対し他方側（図の右側）に配置されているので、一対の脚部１１Ｃ，２１Ｃが広がるにつれて、一対の挟持部１２Ｃ，２２Ｃが互いに狭まるようなっている。
【００６１】
前記実施形態では、挟持部１２，２２のペダルＰＥの軸ＳＨに接触する部分および脚部１１，２１の下端をゴムで覆っていたが、スタンドの構成はこれに限定されるものではない。例えば、挟持部１２，２２のペダルＰＥの軸ＳＨに接触する部分や脚部１１，１２の下端に、ゴム層を点状または線状に複数設けてもよい。
【符号の説明】
【００６２】
１      第１の支柱
２      第２の支柱
１１    脚部
１２    挟持部
１３    第１本体部
１４    第１係合部
２１    脚部
２２    挟持部
２３    第２本体部
２４    第２係合部
Ｒ１    キャップ
Ｒ２    被覆部材
Ｓ      スタンド
Ｘ      回動軸
【図１】
2016078613.tif 000003
【図２】
2016078613.tif 000004
【図３】
2016078613.tif 000005
【図４】
2016078613.tif 000006
【図５】
2016078613.tif 000007
【図６】
2016078613.tif 000008
【図７】
2016078613.tif 000009
【図８】
2016078613.tif 000010
【図９】
2016078613.tif 000011